(57)【要約】【課題】同一のファインダ内で、スーパーインポーズ表示などの第１表示内容と、撮影後の画像、あるいは撮影中の画像などの第２表示内容とを切り替えて見ることが可能なファインダ装置および光学装置を提供すること。【解決手段】第１表示光を発生させる第１照明手段３４ａと、第２表示光を発生させる第２照明手段３４ｂ〜３４ｄと、これら照明手段から出射された表示光を、二次元方向に走査する走査手段３８と、走査手段３８による表示光の走査に同期させて制御する光変調手段３０と、前記第１表示光Ｌ２を、被写体光Ｌ１と重ね合わせる合成手段７６と、前記第２表示光Ｌ３を、被写体光Ｌ１と重ね合わせることなく表示させる投影手段７８と、を有するファインダ装置。【選択図】図１
2008206107.tif 000002
【特許請求の範囲】
【請求項１】
第１表示光を発生させる第１照明手段と、
第２表示光を発生させる第２照明手段と、
前記第１照明手段または第２照明手段から出射された前記第１表示光または第２表示光を、二次元方向に走査する走査手段と、
前記走査手段による前記第１表示光または第２表示光の走査に同期させて、前記第１表示光または第２表示光を制御する光変調手段と、
前記走査手段および前記光変調手段により描画された第１表示内容を持つ前記第１表示光を、被写体光と重ね合わせる合成手段と、
前記走査手段および前記光変調手段により描画された第２表示内容を持つ前記第２表示光を、前記被写体光と重ね合わせることなく表示させる投影手段と、
を有するファインダ装置。
【請求項２】
前記第１表示光による前記第１表示内容が、前記被写体光と共に表示されるスーパーインポーズ表示であり、
前記第２表示光による前記第２表示内容が、撮像素子で撮像された撮影画像表示である請求項１に記載のファインダ装置。
【請求項３】
前記合成手段が、特定波長域の光を反射して他の波長域の光を透過する第１ミラーを含み、
前記投影手段が、前記第１ミラーで透過する光を反射する第２ミラーを含む請求項１または２に記載のファインダ装置。
【請求項４】
前記被写体光が通過する位置で、前記第１ミラーと第２ミラーとを切り替える切替手段を有する請求項３に記載のファインダ装置。
【請求項５】
前記第１ミラーおよび第２ミラーは、ペンタプリズムと接眼レンズとの間に配置される請求項３または４に記載のファインダ装置。
【請求項６】
前記第１表示光の波長は、６００ｎｍ以上である請求項１〜５のいずれかに記載のファインダ装置。
【請求項７】
前記走査手段と前記光変調手段とをプログラムに応じて制御する制御手段をさらに有する請求項１〜６のいずれかに記載のファインダ装置。
【請求項８】
請求項１〜７のいずれかに記載のファインダ装置を有する光学装置。
【発明の詳細な説明】
【技術分野】
【０００１】
本発明は、ファインダ装置および光学装置に関する。
【背景技術】
【０００２】
従来から、カメラのファインダ視野内に焦点検出エリアなどの種々の情報を被写体像に重ねて表示（いわゆるスーパーインポーズ表示）を行うファインダ内表示装置が知られている。このようなファインダ内表示装置のうち、たとえば下記の特許文献１に示すように、マイクロミラー素子からの反射光によりスーパーインポーズ表示を実現するファインダ装置が知られている。
【０００３】
ところが、このようにマイクロミラー素子を用いてスーパーインポーズ表示を実現する従来のファインダ装置では、表示セグメントの数に対応してミラー素子の数を増やす必要がある。そのため、表示の内容が複雑な場合には、画素数に対応するミラーの数が必要となり、ファインダ装置が大型になり、そのファインダ装置を搭載するカメラの大型化を招くおそれがある。
【０００４】
また、従来のファインダ装置では、スーパーインポーズ表示の内容や位置をカメラの製造後に自由に変更することが困難であった。
【０００５】
なお、下記の特許文献２に示すように、MEMS(Micro-Electomechanical-Systems)により形成された光スキャナを用いたファインダ装置が知られているが、スーパーインポーズ表示を行うことはできなかった。
【特許文献１】特開平１１−１５０６３号公報
【特許文献２】特開２００６−１０６４２６号公報
【発明の開示】
【発明が解決しようとする課題】
【０００６】
本発明は、このような実状に鑑みてなされ、その目的は、同一のファインダ内で、スーパーインポーズ表示などの第１表示内容と、撮影後の画像、あるいは撮影中の画像などの第２表示内容とを切り替えて見ることが可能なファインダ装置および光学装置を提供することである。
【課題を解決するための手段】
【０００７】
上記目的を達成するために、本発明に係るファインダ装置は、
第１表示光を発生させる第１照明手段と、
第２表示光を発生させる第２照明手段と、
前記第１照明手段または第２照明手段から出射された前記第１表示光または第２表示光を、二次元方向に走査する走査手段と、
前記走査手段による前記第１表示光または第２表示光の走査に同期させて、前記表示光を制御する光変調手段と、
前記走査手段および前記光変調手段により描画された第１表示内容を持つ前記第１表示光を、被写体光と重ね合わせる合成手段と、
前記走査手段および前記光変調手段により描画された第２表示内容を持つ前記第２表示光を、前記被写体光と重ね合わせることなく表示させる投影手段と、
を有する。
【０００８】
本発明のファインダ装置では、表示光を二次元方向に走査する走査手段と、その表示光の走査に同期させて表示光を制御する光変調手段とを有するため、ファインダ内の任意の位置に、第１表示内容を表示することが可能となる。
【０００９】
特に本発明のファインダ装置では、走査手段および光変調手段により描画された第２表示内容を持つ第２表示光を、被写体光と重ね合わせることなく表示させる投影手段を有するため、撮影後の画像、あるいは撮影中の画像などの第２表示内容をも同一ファインダ内で見ることが可能である。
【００１０】
たとえば撮影者は、ファインダを覗いて構図を決めており、チャンスを逃さないで、ファインダを覗いたまま、撮影画像を見たい場合がある。そのような場合には、本発明のファインダ装置では、スーパーインポーズモードから撮影画像モードに切り替えて、ファインダを覗いたまま、撮影画像を見ることができる。
【００１１】
また、光学ファインダにより見ることができる被写体の光学像ではなく、撮像手段で実際に取得したデジタル画像を見てホワイトバランスを調整したい場合がある。そのような場合に、本発明のファインダ装置では、ファインダを覗いたまま、撮像手段に実際に取得された画像を観察し、ホワイトバランスを調整することも可能である。なお、観察画像としては、静止画でも動画でも良い。
【００１２】
好ましくは、前記第１表示光による前記第１表示内容が、前記被写体光と共に表示されるスーパーインポーズ表示であり、
前記第２表示光による前記第２表示内容が、撮像素子で撮像された撮影画像表示である。
【００１３】
このような構成によれば、ファインダ内画面の任意の位置に、任意のマーク、キャラクタ、図形などの複雑な第１表示内容を、被写体像と共に、明光としてスーパーインポーズ表示することが可能となる。また、同一のファインダ装置で、撮像素子で撮像された撮影画像を見ることも可能である。
【００１４】
好ましくは、前記合成手段が、特定波長域の光を反射して他の波長域の光を透過する第１ミラーを含み、
前記投影手段が、前記第１ミラーで透過する光を反射する第２ミラーを含む。
【００１５】
好ましくは、ファインダ装置は、前記被写体光が通過する位置で、前記第１ミラーと第２ミラーとを切り替える切替手段を有する。
【００１６】
好ましくは、前記第１ミラーおよび第２ミラーは、ペンタプリズムと接眼レンズとの間に配置される。
【００１７】
好ましくは、前記第１表示光の波長は、６００ｎｍ以上であり、人間の目における可視域の上限近傍に設定することが望ましい。このようにするならば、ダイクロイックミラーなどの波長選択性ミラーの性質を利用することにより、表示光を、ファインダユニットを通して撮影者に明光表示として認識させることができる。
【００１８】
好ましくは、ファインダ装置は、前記走査手段と前記光変調手段とをプログラムに応じて制御する制御手段をさらに有する。このような制御手段を有することで、ファインダ装置を搭載したカメラなどの光学装置を製造した後であっても、制御手段に組み込むプログラムなどのソフトウェアを後から変更することにより、スーパーインポーズ表示の表示内容や表示位置を変更したり追加したりすることが容易となる。
【００１９】
本発明の光学装置は、上記のいずれかに記載のファインダ装置を有する。
【発明を実施するための最良の形態】
【００２０】
以下、本発明を、図面に示す実施形態に基づき説明する。
図１は本発明の一実施形態に係るファインダ装置を含むカメラの概略断面図、
図２（Ａ）および図２（Ｂ）は図１に示す切替部の具体例を示す概略図、
図３は図１に示す二次元光スキャナの概略図、
図４は図１に示すファインダ装置の他の制御状態を示す概略断面図、
図５はファインダ装置における表示例を示す概略図、
図６は本発明の他の実施形態に係るファインダ装置に用いる二次元光スキャナの概略図である。
第１実施形態
【００２１】
図１に示すように、本発明の一実施形態に係るカメラボディ４のレンズマウント部６には、撮影レンズを備えるレンズ鏡筒が交換可能に装着される。本実施形態では、カメラは、画像センサー８としてＣＣＤやＣＭＯＳ等の撮像素子が用いられる一眼レフ方式のデジタルカメラである。
【００２２】
レンズマウント部６と画像センサー８との間には、被写体からの被写体光Ｌ１をファインダ光学系へと反射するクイックリターンミラー１０が配設されている。画像センサー８とクイックリターンミラー１０との間にはシャッタ９が設けられている。
【００２３】
撮影レンズ（非図示）を通過した被写体光Ｌ１はクイックリターンミラー１０に反射されて、ペンタプリズム１６およびファインダユニット１８を通して、ファインダを覗く人が観察できる。なお、撮影の際には、クイックリターンミラー１０がはねあがって被写体光Ｌ１の光路上から光路外へと退避し、画像センサー８上に被写体像が取得される。
【００２４】
カメラボディ４内には、ファインダ装置２０が内蔵してある。ファインダ装置２０は、ペンタプリズム１６およびファインダユニット１８を有する。
【００２５】
本実施形態では、ペンタプリズム１６とファインダユニット１８との間に、切替部７０が配置してある。切替部７０は、たとえば図２（Ａ）に示すように、第１ミラー７６および第２ミラー７８を保持する枠体７２を、スライド自在に保持するレール７４を有する。この切替部７０は、ペンタプリズム１６とファインダユニット１８との間を通る被写体光Ｌ１が、第１ミラーまたは第２ミラーのいずれかに当たるように選択的に切り替える機能を有する。その切替部７０の制御は、例えば図１に示す制御回路３０により行われる。
【００２６】
第１ミラー７６は、たとえばダイクロイックミラーで構成してあり、特定波長域の光を反射して他の波長域の光を透過する。この実施形態では、第１ミラー７０は、好ましくは６００ｎｍ以上で望ましくは、人間の可視域上限の近傍以上の波長域の光を反射し、それよりも小さい波長域の光は通過させる。また、第２ミラー７８は、通常のミラーであり、少なくとも可視域の光は全て反射するようになっている。なお、第１ミラー７６としては、ダイクロイックミラー以外に、回折格子などのホログラム板を用いることもできる。
【００２７】
また、切替手段としては、図２（Ａ）に示す切替部７０に限定されず、図２（Ｂ）に示す切替部７０ａであっても良い。この切替部７０ａでは、第１ミラー７６および第２ミラー７８を保持する枠体７２を、枠体７２の中央部に装着してある回動軸８０を支点として回転可能になっている。回動軸８０を支点として枠体７２を１８０度の角度で回転させることで、ペンタプリズム１６とファインダユニット１８との間を通る被写体光Ｌ１が、第１ミラーまたは第２ミラーのいずれかに当たるように選択的に切り替えることができる。
【００２８】
この実施形態では、ペンタプリズム１６とファインダユニット１８との間を通る被写体光Ｌ１が、切替部７０の第１ミラー７６を通過する状態を図１に示し、ペンタプリズム１６からファインダユニット１８へ向かう被写体光Ｌ１が、切替部７０の第２ミラー７８で反射されている状態を図４に示す。
【００２９】
図１および図４に示すように、切替部７０には、第１表示内容を持つ第１表示光Ｌ２、または第２表示内容を持つ第２表示光Ｌ３が照射されるようになっている。これらの表示光Ｌ２およびＬ３は、被写体光Ｌ１が照射される切替部７０の表面と反対側の表面に、被写体光Ｌ１に対応して照射されるようになっている。
【００３０】
これらの表示光Ｌ２およびＬ３を発生させるための表示光発生器は、光合成・切替器３２と、照明手段としての光源３４ａ〜３４ｄと、集光光学系３６と、二次元光スキャナ３８とを有する。光源３４ａ〜３４ｄとしては、特に限定されず、発光ダイオード（ＬＥＤ）、半導体レーザ（ＬＤ）などで構成される。ただし、半導体レーザを用いる場合には、目に安全な出力まで減光することが好ましい。
【００３１】
光源３４ａから出射される表示光Ｌ２の表示光波長λａは、好ましくは６００ｎｍ以上であり、人間の目の可視域の上限近傍に設定することが望ましい。さらに、ダイクロイックミラーから成る第１ミラー７６は、反射下限波長λｂ以上の波長光を反射する（反射率が高くなる）ように、かつ反射下限波長λｂが表示光波長λａよりも僅かに小さくなるように作製することが望ましい。このように設計しておくならば、第１表示光Ｌ２は、図１に示すように、ダイクロイックミラーから成る第１ミラー７６で反射させられる。しかも、第１ミラー７６では、被写体光Ｌ１の大部分を通過させる。そのため、第１ミラー７６は、合成手段として機能し、第１表示内容を持つ第１表示光Ｌ２を、被写体光Ｌ１と重ね合わせることが可能である。第１ミラー７６を通過する被写体光は、ミラー７６の反射下限波長λｂ以下の光であるが、可視域の大部分であるため使用上の問題はない。そのようにして重ね合わされた光が、ファインダユニット１８を通して、撮影者の目に入り、スーパーインポーズ表示が可能となる。
【００３２】
光源３４ａ〜３４ｄおよび光スキャナ３８は、制御回路３０により制御される。光スキャナ３８は、図３に示すように、たとえばMEMS(Micro-Electomechanical-Systems)技術により形成され、枠体４０と、枠体４０の中央に一対の支持部４４を介して保持してある可動枠４２と、可動枠４２の中央に一対の支持部４８を介して保持してある微小ミラー４６とを有する。
【００３３】
微小ミラー４６は、可動枠４２に対して、枠体４０のＸ軸方向の両端位置で一対の支持部４８により、支持部４８のＸ軸回りに回動可能に保持してある。また、可動枠４２は、枠体４０に対して、枠体４０のＹ軸方向の両端位置で一対の支持部４４により、支持部４４のＹ軸回りに回動可能に保持してある。なお、Ｘ軸とＹ軸とＺ軸とは直交する。
【００３４】
枠体４０に対して支持部４４を介して可動枠４２を回動させるため駆動機構としてはMEMS技術による静電力や電磁力を用いるが（非図示）とくに限定されない。また、可動枠４２に対して支持部４８を介してミラー４６を回動させる駆動機構としてはMEMS技術による静電力や電磁力を用いる（非図示）がとくに限定されない。これらの駆動機構は、図１に示す制御回路３０により制御される。
【００３５】
図１に示す光源３４ａから発せられて、光合成・切替器３２および集光レンズ３６を通して光スキャナ３８に向かう第１表示光Ｌ２は、図３に示すように、ミラー４６によりＺ軸方向に所定角度で反射される。ミラー４６は、図示省略してあるアクチュエータによりＸ軸およびＹ軸回りに回動制御され、表示光Ｌ２の反射光は、二次元スキャンされ、１／３０秒程度もしくはそれ以下の時間で、一画面５０のラスタスキャンＬ２ａを行う。このような短時間で一画面５０のラスタスキャンＬ２ａを行うために、可動枠４２は、支持部４４を支点として数十Ｈｚの周期で往復回動され、ミラー４６は、支持部４８を支点として数十ＫＨｚの周期で往復回動制御される。
【００３６】
なお、表示画面の全体を一様に表示するラスタスキャンＬ２ａの代わりに、走査の始終点と走査方向を可変とするベクタスキャンとなるように、図１に示す制御回路３０により光スキャナ３８のアクチュエータを制御しても良い。
【００３７】
このようなラスタスキャンＬ２ａの動きに合わせて、図１に示す光源３４ａは、制御回路３０により、オン・オフ制御あるいは強弱の制御が成され、光変調制御が行われる。たとえばラスタスキャンＬ２ａの動きに合わせて、光源３４からの表示光Ｌ２のオン・オフ制御を行うことで、たとえば図５に示すように、一画面５０の中に、文字表示５４、図形表示５６，５８、マーク表示６０，６２などの明光表示が可能になる。
【００３８】
光源３４ａからの第１表示光Ｌ２が光変調制御され、しかも光スキャナ３８により二次元スキャンされた第１表示光Ｌ２は、図１に示す切替部７０の第１ミラー７６により被写体光Ｌ１と合成させられて、ファインダユニット１８を通して、ファインダを覗く人の目に届く。
【００３９】
ファインダを覗く人の目には、被写体光Ｌ１と共に、光変調制御されて二次元スキャンされた表示光Ｌ２による図５に示す表示５４〜６２も明光として映る。なお、図５に示す表示５４は、たとえば露光補正量を示すキャラクタ文字であり、表示５６は、たとえば白飛び領域を示すマーク表示であり、表示５８は、たとえば人の顔を認識しているマーク表示であり、表示６０は、たとえばオートフォーカスの合焦を示すマーク表示であり、表示６２は、たとえばバッテリの残量を示すマーク表示である。
【００４０】
なお、「白飛び」とは、ＣＣＤなどの撮像手段に対して飽和点以上の光量が入り込み、一定以上の明るさの被写体が真っ白に塗りつぶされてしまう現象のことである。白飛びが生じると推定される領域は、たとえば図示省略してある側光センサユニットからの出力信号に応じて判断され、図１に示す制御回路３０に基づき光源３４ａの光変調制御と、光スキャナ３８による二次元スキャンを制御して、図５に示す表示５６を行う。
【００４１】
また、表示５８が、人の顔の認識マーク表示である場合には、被写体光Ｌ１に基づく人の顔の移動位置に応じて、そのマーク表示５８を追随して移動させるように、図１に示す制御回路３０に基づき光源３４ａの光変調制御と、光スキャナ３８による二次元スキャンを制御しても良い。人の顔の位置の特定は、たとえば図示省略してある側光センサユニットからの出力信号により行っても良いし、あるいは、図示省略してある被写体認識用サブ画像センサにより行っても良い。
【００４２】
マーク表示６０におけるオートフォーカスの合焦位置情報は、たとえば図示省略してあるＡＦセンサユニットからの出力信号に基づく。その出力信号に基づき制御回路３０を介して、光源３４ａの光変調制御と、光スキャナ３８による二次元スキャンを制御して、図５に示す表示６０を行う。
【００４３】
また、本実施形態では、図４に示すように、制御回路３０が切替部７０を制御し、ペンタプリズム１６とファインダユニット１８との間を通る被写体光Ｌ１が、第２ミラー７８に当たるように選択的に切り替えることもできる。図４に示すように、第２ミラー７８は、被写体光Ｌ１を透過しないため、被写体光Ｌ１は、ファインダユニット１８には入射しない。
【００４４】
また、その場合には、制御回路３０は、光源３４ａからの照射を止めるように制御し、光源３４ｂ〜３４ｄからの照射に切り替える。光源３４ｂ〜３４ｄは、たとえばＲ，Ｇ，Ｂなどの光の三原色をそれぞれ出射する光源であり、それらの光源３４ｂ〜３４ｄからの第２表示光Ｌ３は、光変調されて、前述と同様にして光スキャナ３８へ入射され、光走査制御され、たとえば記録媒体８で撮影された撮像画像を画面５０上に表示する。そのような第２表示内容を持つ第２表示光Ｌ３は、図４に示すように、切替部７０の第２ミラー７８で反射されてファインダユニット１８を通して、カラーの撮影画像として、撮影者の目に入る。
【００４５】
なお、図４に示す状態で、クイックリターンミラー１０を移動させ、シャッタ９を開けておけば、ＣＣＤなどの記録媒体８に映る現時点での被写体光Ｌ１に基づく撮影画像を、図３に示す画面５０に映し、ファインダユニット１８を通してみることも可能である。
【００４６】
本実施形態に係るファインダ装置２０では、図１に示す状態においては、図５に示すように、ファインダ内画面５０の任意の位置に、任意のマーク、キャラクタ、図形などの複雑な表示５４〜６２を、明光としてスーパーインポーズ表示することが可能となる。
【００４７】
また、本実施形態のファインダ装置２０では、カメラ２などの光学装置に搭載後であっても、制御回路３０に組み込むプログラムなどのソフトウェアを変更することにより、スーパーインポーズ表示の表示内容や表示位置を変更したり追加したりすることが可能である。
【００４８】
さらに、本実施形態のファインダ装置２０では、表示光を二次元方向に走査する光スキャナ３８を有するために、画素数に対応するミラーの数は必要ではなく、部品点数が少なく、製造が容易で、装置の小型化を図ることが可能である。
【００４９】
特に、本実施形態のファインダ装置２０では、光スキャナ３８および制御回路３０による光変調により描画された第２表示光Ｌ３を、被写体光Ｌ１と重ね合わせることなく表示させる投影手段としての第２ミラー７８を有するため、撮影後の画像、あるいは撮影中の画像などの第２表示内容をも同一ファインダ内で見ることが可能である。
【００５０】
たとえば撮影者は、ファインダを覗いて構図を決めており、チャンスを逃さないで、ファインダを覗いたまま、撮影画像を見たい場合がある。そのような場合には、本実施形態のファインダ装置２０では、カメラのモードスイッチなどから制御回路３０へ信号を送り、切替部７０、光源３４ａ〜３４ｄおよび光スキャナ３８を制御し、スーパーインポーズモードから撮影画像モードに切り替えて、ファインダを覗いたまま、撮影画像を見ることができる。
【００５１】
また、ファインダから見ることができる被写体像ではなく、ＣＣＤなどで構成された記録媒体８に実際に映っている画像を見てホワイトバランスを調整したい場合がある。そのような場合に、本実施形態のファインダ装置２０では、ファインダを覗いたまま、ホワイトバランスを調整することも可能である。なお、観察画像としては、静止画でも動画でも良い。
第２実施形態
【００５２】
第２実施形態では、走査手段として、図３に示す光スキャナ３８ではなく、たとえば図６に示す光スキャナ３８ａを用いた以外は、第１実施形態と同様であり、共通する説明は省略する。なお、本発明では、走査手段として、図３および図６に示す光スキャナ以外に、その他の走査手段を用いても良い。
【００５３】
図６に示す光スキャナ３８ａは、二つの枠体４０ａおよび４０ｂを有し、これらの枠体４０ａおよび４０ｂは、表示光Ｌ２を二回反射してラスタスキャンＬ２ｂを実現できるように、所定の位置関係に配置してある。
【００５４】
枠体４０ａには、一対の支持部４４ａを介して、枠体４０ａの中央に第１ミラー４２ａが保持してある。枠体４０ｂには、一対の支持部４８ａを介して、枠体４０ｂの中央に第２ミラー４６ａが保持してある。
【００５５】
第２ミラー４６ａは、枠体４０ｂに対して、Ｘ軸方向の両端位置で一対の支持部４８ａにより、支持部４８ａのＸ軸回りに回動可能に保持してある。また、第１ミラー４２ａは、枠体４０ａに対して、枠体４０ａのＹ軸方向の両端位置で一対の支持部４４ａにより、支持部４４ａのＹ軸回りに回動可能に保持してある。
【００５６】
図１に示す光源３４から発せられて集光レンズ３６を通して光スキャナ３８に向かう表示光Ｌ２は、図６に示すように、第１ミラー４２ａで反射される。第１ミラー４２ａは、図示省略してある駆動機構によりＹ軸回りに回動制御され、その反射光は、第２ミラー４６ａにおける支持部４８ａの軸芯に対応する表面で一次元方向にスキャンされる。
【００５７】
第２ミラー４６ａは、図示省略してある駆動機構によりＸ軸回りに回動制御され、第２ミラー４６ａにより反射された反射光は、二次元スキャンされ、０．０３〜０．０１秒で一画面５０のラスタスキャンを行う。
【００５８】
本実施形態に係るファインダ装置においても、前述した実施形態に係るファインダ装置と同様な作用効果を奏する。
【００５９】
なお、本発明は、上述した実施形態に限定されるものではなく、本発明の範囲内で種々に改変することができる。
【００６０】
たとえば、光変調手段としては、制御回路３０による光源３４ａ〜３４ｄの直接の変調、すなわちオン・オフ制御あるいは強弱の制御以外であっても良い。また、別途、光スイッチや変調器を設けて、光変調手段としても良い。
【００６１】
さらに、走査手段としては、ＭＥＭＳにより形成された光スキャナ３８，３８ａ以外に、電気光学デバイス、音響光学デバイスなどを光スキャナとして用いても良い。
【図面の簡単な説明】
【００６２】
【図１】図１は本発明の一実施形態に係るファインダ装置を含むカメラの概略断面図である。
【図２】図２（Ａ）および図２（Ｂ）は図１に示す切替部の具体例を示す概略図である。
【図３】図３は図１に示す二次元光スキャナの概略図である。
【図４】図４は図１に示すファインダ装置の他の制御状態を示す概略断面図である。
【図５】図５はファインダ装置における表示例を示す概略図である。
【図６】図６は本発明の他の実施形態に係るファインダ装置に用いる二次元光スキャナの概略図である。
【符号の説明】
【００６３】
４…  カメラボディ
１１…  透光性液晶表示板
１６…  ペンタプリズム
２０…  ファインダ装置
３０…  制御回路
３４ａ〜３４ｄ…  光源
３８，３８ａ…  光スキャナ
４２ａ，４６，４６ａ…  ミラー
５４〜６２…  表示
７０…  切替部
７６…  第１ミラー（ダイクロイックミラー）
７８…  第２ミラー
【図１】
2008206107.tif 000003
【図２】
2008206107.tif 000004
【図３】
2008206107.tif 000005
【図４】
2008206107.tif 000006
【図５】
2008206107.tif 000007
【図６】
2008206107.tif 000008